(57)【要約】      （修正有）【課題】光走査装置に設けられたシャッタ部材が、メンテナンス用の扉の開閉だけでは動作しないようにすることにより、シャッタの移動機構に使用する材料に摩耗し難い材料を用いることのない機構を提供する。【解決手段】シャッタ部材の開閉を、回収されたトナーを蓄積する回収トナー容器をカートリッジ保持部から着脱する動作に連携させて行い、回収トナー容器にはトナー容器の移動に応じて移動する第１の接触部と、シャッタに接触する第２の接触部と、第１の接触部の移動に応じて第２の接触部を移動させる機構とを備え、第１の接触部及び前記第２の接触部の移動によってシャッタを第１の位置から前記第２の位置に移動させるようにした機構を備える。【選択図】図１０
2014126828.tif 000002
【特許請求の範囲】
【請求項１】
画像形成装置であって、
感光体と、
前記感光体上に形成される静電潜像をトナーによって現像する現像装置と、
前記感光体に前記静電潜像を形成するために前記感光体を走査する光ビームが通過する透明窓を備える光走査装置と、
前記感光体と前記光走査装置との間に配置され、前記透明窓を通過した前記光ビームの光路上から退避した第１の位置と前記透明窓を覆う第２の位置との間を移動するシャッタと、
前記感光体上のトナー像を転写体に転写する転写装置と、
前記転写体に転写されずに前記感光体上に残留した残留トナーを回収するクリーニング装置と、
画像形成装置本体に着脱可能であり、前記クリーニング装置によって回収された前記残留トナーを蓄積するトナー容器が前記クリーニング装置の長手方向の延長線上に位置するように、前記トナー容器を保持するトナー容器保持部と、
前記トナー容器に接触し、前記トナー容器が前記トナー容器保持部に着脱される際の前記トナー容器の移動に応じて移動する第１の接触部と、前記シャッタに接触する第２の接触部と、前記第１の接触部の移動に応じて前記第２の接触部を移動させる機構と、を備え、前記トナー容器が前記トナー容器保持部から取り外される際に前記第１の接触部に接触した前記トナー容器の移動に応じた前記第１の接触部及び前記第２の接触部の移動によって前記シャッタを前記第１の位置から前記第２の位置に移動させ、前記トナー容器が前記トナー容器保持部に装着される際に前記第１の接触部に接触した前記トナー容器の移動に応じた前記第１の接触部及び前記第２の接触部の移動によって前記シャッタを前記第２の位置から前記第１の位置に移動させるシャッタ移動機構と、を備えることを特徴とする画像形成装置。
【請求項２】
画像形成装置であって、
感光体と、
前記感光体上に形成される静電潜像をトナーによって現像する現像装置と、
前記感光体に前記静電潜像を形成するために前記感光体を走査する光ビームが通過する透明窓を備える光走査装置と、
前記感光体と前記光走査装置との間に配置され、前記透明窓を通過した前記光ビームの光路上から退避した第１の位置と前記透明窓を覆う第２の位置との間を移動するシャッタと、
前記感光体上のトナー像が転写される中間転写体と、前記中間転写体上のトナー像を記録媒体に転写する転写装置と、
前記記録媒体に転写されずに前記中間転写体上に残留した残留トナーを回収するクリーニング装置と、
画像形成装置本体に着脱可能であり、前記クリーニング装置によって回収された前記残留トナーを蓄積するトナー容器が前記クリーニング装置の長手方向の延長線上に位置するように、前記トナー容器を保持するトナー容器保持部と、
前記トナー容器に接触し、前記トナー容器が前記トナー容器保持部に着脱される際の前記トナー容器の移動に応じて移動する第１の接触部と、前記シャッタに接触する第２の接触部と、前記第１の接触部の移動に応じて前記第２の接触部を移動させる機構と、を備え、前記トナー容器が前記トナー容器保持部から取り外される際に前記第１の接触部に接触した前記トナー容器の移動に応じた前記第１の接触部及び前記第２の接触部の移動によって前記シャッタを前記第１の位置から前記第２の位置に移動させ、前記トナー容器が前記トナー容器保持部に装着される際に前記第１の接触部に接触した前記トナー容器の移動に応じた前記第１の接触部及び前記第２の接触部の移動によって前記シャッタを前記第２の位置から前記第１の位置に移動させるシャッタ移動機構と、を備えることを特徴とする画像形成装置。
【請求項３】
前記画像形成装置は、複数の前記感光体と前記複数の感光体それぞれに形成される前記静電潜像を異なる色のトナーによって現像する複数の前記現像装置とを備え、
前記光走査装置は、前記複数の感光体それぞれに前記静電潜像を形成するために前記複数の感光体を走査する複数の光ビームを出射する複数の透明窓を備え、
前記複数の透明窓は、前記第２の位置に位置する共通の前記シャッタによって覆われることを特徴とする請求項１または２に記載の画像形成装置。
【請求項４】
前記シャッタ移動機構は、
回転軸を中心に回転する回転部と、前記第１の接触部を備え、前記回転部から延出する第１の腕部と、前記第２の接触部を備え、前記回転部から延出する第２の腕部と、を有し、前記トナー容器が装着される際の前記トナー容器の移動に応じて前記第１の腕部が前記回転軸を中心に第１の方向に移動し、前記第１の腕部が前記第１の方向に移動することによって前記回転部が前記第１の方向に回転し、前記回転部が前記第１の方向に回転することによって前記第２の腕部が前記回転軸を中心に前記第１の方向に移動し、前記トナー容器が取り外される際の前記トナー容器の移動に応じて前記第１の腕部が前記第１の方向と反対方向の第２の方向に移動し、前記第１の腕部が前記第２の方向に移動することによって前記回転部が前記第２の方向に回転し、前記回転部が前記第２の方向に回転することによって前記第２の腕部が前記第２の方向に移動する回転機構と、
前記シャッタが前記第１の位置から前記第２の位置に向かうにつれて弾性力が増加するように、前記シャッタと前記光走査装置とに連結されたバネと、
を備え、
前記シャッタは、前記第１の位置と前記第２の位置との間を前記透明窓の短手方向にスライドし、
前記シャッタ移動機構は、前記第１の方向に移動する前記第２の腕部によって前記シャッタを押圧することによって前記シャッタを前記第１の位置から前記第２の位置にスライドさせ、前記第２の腕部が前記第２の方向に移動する際に前記バネの弾性力によって前記シャッタを前記第２の位置から前記第１の位置にスライドさせることを特徴とする請求項３に記載の画像形成装置。
【請求項５】
前記感光体、前記現像装置、及び前記クリーニング装置を備え、前記画像形成装置本体に着脱可能な複数のカートリッジを保持するカートリッジ保持部を備え、
前記トナー容器は、カートリッジ保持部に保持される前記複数のカートリッジそれぞれのクリーニング装置から前記残留トナーを受け取る受取口と、前記受取口から流入した前記残留トナーを蓄積する蓄積部と、前記第１の接触部に当接する当接部と、を備えることを特徴とする請求項３または４に記載の画像形成装置。
【請求項６】
前記受取口は、前記複数のカートリッジの前記クリーニング装置それぞれに対して複数設けられていることを特徴とする請求項５に記載の画像形成装置。
【請求項７】
着脱する際に移動する前記複数のカートリッジの移動方向を制限する複数のガイド部材を備え、
前記ガイド部材の延長線上に前記トナー容器が装着されることを特徴とする請求項６に記載の画像形成装置。
【請求項８】
前記画像形成装置は、複数の前記感光ドラムと前記複数の感光体それぞれに形成される前記静電潜像を異なる色のトナーによって現像する複数の前記現像装置とを備え、
前記光走査装置は、前記複数の感光体それぞれに前記静電潜像を形成するために前記複数の感光体を走査する複数の光ビームを出射する複数の透明窓を備え、
前記複数の透明窓は、異なる前記シャッタによって覆われることを特徴とする請求項１または２に記載の画像形成装置。
【請求項９】
前記光走査装置は、前記複数の感光体それぞれに前記静電潜像を形成するための複数の前記光ビームを出射する複数の光源と、前記複数の光ビームを偏向する回転多面鏡と、前記回転多面鏡が内部に設置された光学箱と、前記複数の光ビームを前記光学箱の外部に通過させる複数の透明窓と、を備え、前記複数の感光体よりも重力方向下側に配置され、前記複数の透明窓を通過した前記光ビームによって前記複数の感光体それぞれを露光することを特徴とする請求項３、４、または８に記載の光走査装置。
【請求項１０】
メンテナンス用の扉と、前記画像形成装置本体に対して着脱可能であり、前記感光体、前記現像装置、及び前記クリーニング装置を備える複数のカートリッジを保持するカートリッジ保持部と、を備え、
前記トナー容器保持部によって保持される前記トナー容器が、前記カートリッジ保持部に保持される前記複数のカートリッジと前記扉との間に位置するように、前記画像形成装置本体に前記扉と前記カートリッジ保持部と前記トナー容器保持部とが設けられていることを特徴とする請求項１乃至９いずれか１項に記載の画像形成装置。
【請求項１１】
画像形成装置であって、
感光体と、前記感光体上に形成される静電潜像をトナーによって現像する現像装置と、前記転写体に転写されずに前記感光体上に残留したトナーを回収するクリーニング装置と、を有するカートリッジであって、前記カートリッジをスライドさせることによって画像形成装置本体に着脱可能な複数の前記カートリッジを保持する複数のカートリッジ保持部と、
前記複数のカートリッジそれぞれの前記感光ドラムに前記静電潜像を形成するために前記感光体を走査する光ビームが通過する複数の透明窓を備える光走査装置と、
前記複数のカートリッジ保持部に保持される前記複数のカートリッジと前記光走査装置との間に配置され、前記複数の透明窓それぞれを通過した前記光ビームの光路上から退避した第１の位置と前記透明窓を覆う第２の位置との間を移動するシャッタと、
画像形成装置本体に着脱可能であり、複数の前記クリーニング装置によって回収された前記トナーを蓄積するトナー容器であって、前記カートリッジ保持部から前記カートリッジを取り外す際の前記カートリッジの移動経路上に前記トナー容器が位置するように前記トナー容器を保持するトナー容器保持部と、
前記トナー容器に接触し、前記トナー容器が前記トナー容器保持部に着脱される際の前記トナー容器の移動に応じて移動する第１の接触部と、前記シャッタに接触する第２の接触部と、前記第１の接触部の移動に応じて前記第２の接触部を移動させる機構と、を備え、前記トナー容器が前記トナー容器保持部から取り外される際に前記第１の接触部に接触した前記トナー容器の移動に応じた前記第１の接触部及び前記第２の接触部の移動によって前記シャッタを前記第１の位置から前記第２の位置に移動させ、前記トナー容器が前記トナー容器保持部に装着される際に前記第１の接触部に接触した前記トナー容器の移動に応じた前記第１の接触部及び前記第２の接触部の移動によって前記シャッタを前記第２の位置から前記第１の位置に移動させるシャッタ移動機構と、を備えることを特徴とする画像形成装置。
【請求項１２】
前記光走査装置は、前記複数のカートリッジそれぞれに備えられる感光体それぞれに前記静電潜像を形成するために前記複数の感光体を走査する複数の光ビームを出射する複数の透明窓を備え、
前記複数の透明窓は、前記第２の位置に位置する共通の前記シャッタによって覆われることを特徴とする請求項１１に記載の画像形成装置。
【請求項１３】
前記シャッタ移動機構は、
回転軸を中心に回転する回転部と、前記第１の接触部を備え、前記回転部から延出する第１の腕部と、前記第２の接触部を備え、前記回転部から延出する第２の腕部と、を有し、前記トナー容器が装着される際の前記トナー容器の移動に応じて前記第１の腕部が前記回転軸を中心に第１の方向に移動し、前記第１の腕部が前記第１の方向に移動することによって前記回転部が前記第１の方向に回転し、前記回転部が前記第１の方向に回転することによって前記第２の腕部が前記回転軸を中心に前記第１の方向に移動し、前記トナー容器が取り外される際の前記トナー容器の移動に応じて前記第１の腕部が前記第１の方向と反対方向の第２の方向に移動し、前記第１の腕部が前記第２の方向に移動することによって前記回転部が前記第２の方向に回転し、前記回転部が前記第２の方向に回転することによって前記第２の腕部が前記第２の方向に移動する回転機構と、
前記シャッタが前記第１の位置から前記第２の位置に向かうにつれて弾性力が増加するように、前記シャッタと前記光走査装置とに連結されたバネと、
を備え、
前記シャッタは、前記第１の位置と前記第２の位置との間を前記透明窓の短手方向にスライドし、
前記シャッタ移動機構は、前記第１の方向に移動する前記第２の腕部によって前記シャッタを押圧することによって前記シャッタを前記第１の位置から前記第２の位置にスライドさせ、前記第２の腕部が前記第２の方向に移動する際に前記バネの弾性力によって前記シャッタを前記第２の位置から前記第１の位置にスライドさせることを特徴とする請求項１１または１２に記載の画像形成装置。
【請求項１４】
前記トナー容器は、カートリッジ保持部に保持される前記複数のカートリッジそれぞれのクリーニング装置から前記残留トナーを受け取る受取口と、前記受取口から流入した前記残留トナーを蓄積する蓄積部と、前記第１の接触部に当接する当接部と、を備えることを特徴とする請求項１１乃至１３いずれか１項に記載の画像形成装置。
【請求項１５】
前記受取口は、前記複数のカートリッジの前記クリーニング装置それぞれに対して複数設けられていることを特徴とする請求項１４に記載の画像形成装置。
【請求項１６】
前記光走査装置は、前記複数のカートリッジそれぞれに備えられる感光体それぞれに前記静電潜像を形成するために前記複数の感光体を走査する複数の光ビームを出射する複数の透明窓を備え、
前記複数の透明窓は、異なる前記シャッタによって覆われることを特徴とする請求項１１に記載の画像形成装置。
【請求項１７】
メンテナンス用の扉を備え、
前記トナー容器保持部によって保持される前記トナー容器が、前記カートリッジ保持部に保持される前記複数のカートリッジと前記扉との間に位置するように、前記画像形成装置本体に前記扉と前記カートリッジ保持部と前記トナー容器保持部とが設けられていることを特徴とする請求項１１乃至１６いずれか１項に記載の画像形成装置。
【発明の詳細な説明】
【技術分野】
【０００１】
本発明は、光走査装置に設けられたレーザ光通過用の透明窓を覆うシャッタを移動させる機構に関する。
【背景技術】
【０００２】
電子写真方式の画像形成装置に備えられる光走査装置は、ポリゴンミラーによって偏向されたレーザ光を光走査装置外部に通過させる透明窓を備えている。透明窓に付着する塵埃はレーザ光を遮ってしまい、出力画像の画質の低下につながる。特に、感光体を重力方向下側から露光する光走査装置の場合、現像装置と感光体を一体化したカートリッジを取り外す際の振動により現像装置から落下したトナーが透明窓に付着してしまう。
【０００３】
このような課題に対して、特許文献１には、メンテナンスをするための扉などの着脱部材の移動によってシャッタが開閉するシャッタ移動機構を備える画像形成装置が開示されている。シャッタには扉の開閉方向に対して傾斜した長穴が設けられており、長穴内にはカバー部材に設けられた突起が挿入されている。特許文献１に記載のシャッタ移動機構は、扉の開閉動作に応じてカバー部材に設けられた突起がシャッタに設けられた長穴内を摺動することによって、扉の開閉によって生じる力を扉の開閉方向とは異なる方向にシャッタをスライドさせる力に変換し、変換された力によってシャッタを移動させる。
【０００４】
一方、特許文献２には、扉を開くと回収トナー容器が現われ、回収トナー容器の奥にカートリッジが取り付けられた画像形成装置が開示されている。特許文献２の画像形成装置において、ユーザは、カートリッジを交換する場合、扉を開き画像形成装置から回収トナー容器を取り外してからカートリッジを取り外し、その後カートリッジ、回収トナー容器の順にそれぞれを画像形成装置に取り付け扉を閉じる。
【先行技術文献】
【特許文献】
【０００５】
【特許文献１】特開２００９−１５１１１１号公報
【特許文献２】特開２００９−２９４４０７号公報
【発明の概要】
【発明が解決しようとする課題】
【０００６】
しかしながら、特許文献２に記載の画像形成装置に特許文献１に記載のシャッタが取り付けられている場合、扉を開閉させるだけでシャッタが移動してしまう。そのため、シャッタの移動機構に摩耗し難い材料を用いなければならならず、コストが高くなるという課題があった。
【課題を解決するための手段】
【０００７】
上記課題に対して、本願発明の画像形成装置は、画像形成装置であって、感光体と、前記感光体上に形成される静電潜像をトナーによって現像する現像装置と、前記感光体に前記静電潜像を形成するために前記感光体を走査する光ビームが通過する透明窓を備える光走査装置と、前記感光体と前記光走査装置との間に配置され、前記透明窓を通過した前記光ビームの光路上から退避した第１の位置と前記透明窓を覆う第２の位置との間を移動するシャッタと、前記感光体上のトナー像を転写体に転写する転写装置と、前記転写体に転写されずに前記感光体上に残留した残留トナーを回収するクリーニング装置と、画像形成装置本体に着脱可能であり、前記クリーニング装置によって回収された前記残留トナーを蓄積するトナー容器が前記クリーニング装置の長手方向の延長線上に位置するように、前記トナー容器を保持するトナー容器保持部と、前記トナー容器に接触し、前記トナー容器が前記トナー容器保持部に着脱される際の前記トナー容器の移動に応じて移動する第１の接触部と、前記シャッタに接触する第２の接触部と、前記第１の接触部の移動に応じて前記第２の接触部を移動させる機構と、を備え、前記トナー容器が前記トナー容器保持部から取り外される際に前記第１の接触部に接触した前記トナー容器の移動に応じた前記第１の接触部及び前記第２の接触部の移動によって前記シャッタを前記第１の位置から前記第２の位置に移動させ、前記トナー容器が前記トナー容器保持部に装着される際に前記第１の接触部に接触した前記トナー容器の移動に応じた前記第１の接触部及び前記第２の接触部の移動によって前記シャッタを前記第２の位置から前記第１の位置に移動させるシャッタ移動機構と、を備えることを特徴とする。
【０００８】
また、本願発明の画像形成装置は、画像形成装置であって、感光体と、前記感光体上に形成される静電潜像をトナーによって現像する現像装置と、前記感光体に前記静電潜像を形成するために前記感光体を走査する光ビームが通過する透明窓を備える光走査装置と、前記感光体と前記光走査装置との間に配置され、前記透明窓を通過した前記光ビームの光路上から退避した第１の位置と前記透明窓を覆う第２の位置との間を移動するシャッタと、前記感光体上のトナー像が転写される中間転写体と、前記中間転写体上のトナー像を記録媒体に転写する転写装置と、前記記録媒体に転写されずに前記中間転写体上に残留した残留トナーを回収するクリーニング装置と、画像形成装置本体に着脱可能であり、前記クリーニング装置によって回収された前記残留トナーを蓄積するトナー容器が前記クリーニング装置の長手方向の延長線上に位置するように、前記トナー容器を保持するトナー容器保持部と、前記トナー容器に接触し、前記トナー容器が前記トナー容器保持部に着脱される際の前記トナー容器の移動に応じて移動する第１の接触部と、前記シャッタに接触する第２の接触部と、前記第１の接触部の移動に応じて前記第２の接触部を移動させる機構と、を備え、前記トナー容器が前記トナー容器保持部から取り外される際に前記第１の接触部に接触した前記トナー容器の移動に応じた前記第１の接触部及び前記第２の接触部の移動によって前記シャッタを前記第１の位置から前記第２の位置に移動させ、前記トナー容器が前記トナー容器保持部に装着される際に前記第１の接触部に接触した前記トナー容器の移動に応じた前記第１の接触部及び前記第２の接触部の移動によって前記シャッタを前記第２の位置から前記第１の位置に移動させるシャッタ移動機構と、を備えることを特徴とする。
【０００９】
また、本願発明の画像形成装置は、画像形成装置であって、感光体と、前記感光体上に形成される静電潜像をトナーによって現像する現像装置と、前記転写体に転写されずに前記感光体上に残留したトナーを回収するクリーニング装置と、を有するカートリッジであって、前記カートリッジをスライドさせることによって画像形成装置本体に着脱可能な複数の前記カートリッジを保持する複数のカートリッジ保持部と、前記複数のカートリッジそれぞれの前記感光ドラムに前記静電潜像を形成するために前記感光体を走査する光ビームが通過する複数の透明窓を備える光走査装置と、前記複数のカートリッジ保持部に保持される前記複数のカートリッジと前記光走査装置との間に配置され、前記複数の透明窓それぞれを通過した前記光ビームの光路上から退避した第１の位置と前記透明窓を覆う第２の位置との間を移動するシャッタと、画像形成装置本体に着脱可能であり、複数の前記クリーニング装置によって回収された前記トナーを蓄積するトナー容器であって、前記カートリッジ保持部から前記カートリッジを取り外す際の前記カートリッジの移動経路上に前記トナー容器が位置するように前記トナー容器を保持するトナー容器保持部と、前記トナー容器に接触し、前記トナー容器が前記トナー容器保持部に着脱される際の前記トナー容器の移動に応じて移動する第１の接触部と、前記シャッタに接触する第２の接触部と、前記第１の接触部の移動に応じて前記第２の接触部を移動させる機構と、を備え、前記トナー容器が前記トナー容器保持部から取り外される際に前記第１の接触部に接触した前記トナー容器の移動に応じた前記第１の接触部及び前記第２の接触部の移動によって前記シャッタを前記第１の位置から前記第２の位置に移動させ、前記トナー容器が前記トナー容器保持部に装着される際に前記第１の接触部に接触した前記トナー容器の移動に応じた前記第１の接触部及び前記第２の接触部の移動によって前記シャッタを前記第２の位置から前記第１の位置に移動させるシャッタ移動機構と、を備えることを特徴とする。
【発明の効果】
【００１０】
扉を開閉させることによるシャッタの開閉動作を抑制することができる。
【図面の簡単な説明】
【００１１】
【図１】画像形成装置の概略断面図
【図２】画像形成装置の外観の斜視図
【図３】回収トナー容器とクリーニング装置との接続状態を示す図、及び回収トナー容器１１４の斜視図
【図４】画像形成装置に回収トナー容器が取り付けられた状態を示す図、及びトナー容器保持機構周辺の拡大図
【図５】プロセスカートリッジの着脱構成を示す図
【図６】光走査装置の構成を示す斜視図、及び光走査装置の断面図
【図７】光学箱、及びシャッタを示す斜視図
【図８】画像形成装置本体に設けられたシャッタ移動機構、シャッタ、及び光走査装置の上面図
【図９】シャッタ移動機構を示す図
【図１０】シャッタ移動機構（シャッタ開閉機構）の動作を示す図
【図１１】シャッタ移動機構（シャッタ開閉機構）の動作を示す図
【図１２】変形例を示す図
【発明を実施するための形態】
【００１２】
（実施例１）
（画像形成装置）
図１は、電子写真方式の画像形成装置１００の概略断面図である。図１に示す画像形成装置１００は、イエロー、マゼンタ、シアン、ブラックの各色のトナー像を形成する４基の画像形成部１０１Ｙ、１０１Ｍ、１０１Ｃ、１０１ＢＫを備える。画像形成部１０１Ｙ、１０１Ｍ、１０１Ｃ，１０１ＢＫは、それぞれ感光体であるところの感光ドラム１０２Ｙ、１０２Ｍ、１０２Ｃ、１０２ＢＫを備える。また、各画像形成部は、感光ドラム１０２Ｙ、１０２Ｍ、１０２Ｃ、１０２ＢＫを帯電する帯電装置１０３Ｙ、１０３Ｍ、１０３Ｃ、１０３ＢＫ、感光ドラム上の静電潜像をトナーを用いて現像する現像装置１０４Ｙ、１０４Ｍ、１０４Ｃ、１０４ＢＫを備える。さらに、各画像形成部は、感光ドラム上の残留トナーを感光ドラム上から除去するクリーニング装置１１１Ｙ、１１１Ｍ、１１１Ｃ，１１１ＢＫ、を備える。
【００１３】
各画像形成部は、上記の感光ドラム、帯電装置、現像装置、クリーニング装置それぞれを一体化したプロセスカートリッジを構成する。当該プロセスカートリッジは画像形成装置に対して着脱可能な交換ユニットである。以下では、画像形成部１０１Ｙ、１０１Ｍ、１０１Ｃ、１０１ＢＫをプロセスカートリッジ１０１Ｙ、１０１Ｍ、１０１Ｃ、１０１ＢＫと称する。
【００１４】
画像形成装置１００の本体には、光走査装置２００、転写ローラ１０５Ｙ、１０５Ｍ、１０５Ｃ、１０５ＢＫ、中間転写ベルト１０６、クリーニング装置１１２、給紙部１０９、排紙部１１０、転写ローラ１０７、定着装置１０８が備えられている。光走査装置２００は、各感光ドラムに対して重力方向下側に配置されている。なお、光走査装置は、重力方向上側から感光ドラムを露光するように配置されても良い。
【００１５】
次に、画像形成プロセスについて説明する。光走査装置２００は、帯電装置１０３Ｙ、１０３Ｍ、１０３Ｃ、１０３ＢＫによってそれぞれ帯電された感光ドラム１０２Ｙ、１０２Ｍ、１０２Ｃ、１０２ＢＫを露光する光ビームＬＹ、ＬＭ、ＬＣ、ＬＢＫ（レーザ光）を出射する。光ビームによって露光されることで感光ドラム１０２Ｙ、１０２Ｍ、１０２Ｃ、１０２ＢＫ上には静電潜像が形成される。
【００１６】
現像装置１０４Ｙは、感光ドラム１０２Ｙ上に形成された静電潜像をイエローのトナーによって現像する。現像装置１０４Ｍは、感光ドラム１０２Ｍ上に形成された静電潜像をマゼンタのトナーによって現像する。現像装置１０４Ｃは、感光ドラム１０２Ｃ上に形成された静電潜像をシアンのトナーによって現像する。現像装置１０４ＢＫは、感光ドラム１０２ＢＫ上に形成された静電潜像をブラックのトナーによって現像する。
【００１７】
感光ドラム１０２Ｙ上に形成されたイエローのトナー像は、転写部Ｔｙにおいて転写ローラ１０５Ｙによって中間転写体であるところの中間転写ベルト１０６に転写される。クリーニング装置１１１Ｙは、感光ドラム１０２Ｙの回転方向の転写部Ｔｙと帯電装置１０３Ｙの帯電部との間において、中間転写ベルト１０６に転写されずに感光ドラム１０２Ｙ上に残留したトナーを回収する。
【００１８】
感光ドラム１０２Ｍ上に形成されたマゼンタのトナー像は、転写部Ｔｍにおいて転写ローラ１０５Ｍによって中間転写ベルト１０６に転写される。クリーニング装置１１１Ｍは、感光ドラム１０２Ｍの回転方向の転写部Ｔｍと帯電装置１０３Ｍの帯電部との間において、中間転写ベルト１０６に転写されずに感光ドラム１０２Ｍ上に残留したトナーを回収する。
【００１９】
感光ドラム１０２Ｃ上に形成されたシアンのトナー像は、転写部Ｔｃにおいて転写ローラ１０５Ｃによって中間転写ベルト１０６に転写される。クリーニング装置１１１Ｃは、感光ドラム１０２Ｃの回転方向の転写部Ｔｃと帯電装置１０３Ｃの帯電部との間において、中間転写ベルト１０６に転写されずに感光ドラム１０２Ｃ上に残留したトナーを回収する。
【００２０】
感光ドラム１０２ＢＫ上に形成されたブラックのトナー像は、転写部ＴＢｋにおいて転写ローラ１０５ＢＫによって中間転写ベルト１０６に転写される。クリーニング装置１１１ＢＫは、感光ドラム１０２ＢＫの回転方向の転写部ＴＢｋと帯電装置１０３ＢＫの帯電部との間において、中間転写ベルト１０６に転写されずに感光ドラム１０２ＢＫ上に残留したトナーを回収する。
【００２１】
本実施例のクリーニング装置１１１Ｙ、１１１Ｍ、１１１Ｃ、１１１ＢＫは、感光ドラムに当接するブレードを備え、当該ブレードによって感光ドラム上に残留したトナーを掻き取ることによって残留トナーを回収する。
【００２２】
中間転写ベルト１０６上に転写された各色のトナー像は、転写部Ｔ２において、転写ローラ１０７によって給紙部１０９から搬送されてきた記録紙に転写される。転写部Ｔ２において記録紙に転写されたトナー像は、定着装置１０８によって定着処理され、定着処理後に排紙部１１０に排紙される。
【００２３】
画像形成装置１００は、中間転写ベルト１０６の回転方向に関し転写部Ｔ２と転写部Ｔｙとの間にクリーニング装置１１２を備える。クリーニング装置１１２は、中間転写ベルト１０６に当接するブレードを備え、当該ブレードによって中間転写ベルト１０６上の残留トナーを掻き取ることによって、記録媒体に転写されずに中間転写ベルト１０６上に残留したトナーを清掃する。
【００２４】
なお、以下で説明する構成に関して、実施の形態は感光ドラムを１つ有するモノクロの画像形成装置、複数の感光ドラム上に形成されたトナー像を直接記録媒体（転写体）に転写する画像形成装置であっても良い。
【００２５】
（画像形成装置の扉及び回収トナー容器）
図２は、画像形成装置１００の外観の斜視図である。図２に示すように、本実施例の画像形成装置１００はメンテナンス用の扉１１３を備えている。画像形成装置１００の扉１１３の内側には回収トナー容器１１４が取り付けられている。回収トナー容器１１４は、クリーニング装置１１１Ｙ、１１１Ｍ、１１１Ｃ、１１１ＢＫが各感光ドラム上から回収したトナー、及びクリーニング装置１１２が中間転写ベルト１０６上から回収したトナーを蓄積する。回収トナー容器１１４は、画像形成装置１００の本体に対して着脱可能な交換ユニットである。ユーザは、図示しない表示部に回収トナー容器１１４の交換を促す表示がされることによって、回収トナー容器１１４を交換する作業を行う。
【００２６】
図２（ｂ）に示すように、ユーザは、画像形成装置１００に取り付けられた回収トナー容器１１４を−Ｘ方向に移動させることによって、画像形成装置１００から回収トナー容器１１４を取り外す（図２（ｃ）の状態）。一方、ユーザが回収トナー容器１１４を図２（ｃ）の状態から＋Ｘ方向に移動させると、図２（ｂ）に示すように回収トナー容器１１４は画像形成装置１００に装着される。なお、回収トナー容器１１４が画像形成装置１００に取り付けられた状態では、ユーザはプロセスカートリッジを取り外すことはできない。
【００２７】
（回収トナー容器）
図３（ａ）は、回収トナー容器１１４とクリーニング装置１１２との接続状態を示す図である。図３（ｂ）は、回収トナー容器１１４の斜視図である。
【００２８】
図３（ｂ）に示すように、回収トナー容器１１４には、クリーニング装置１１２に接続されるトナー搬送路１１４ａが一体的に形成されている。トナー搬送路１１４ａにはクリーニング装置１１２から搬送されるトナーが流入するトナー受取口１１４ｄが設けられている。回収トナー容器１１４が、画像形成装置に取り付けられた状態において、トナー受取口１１４ｄはクリーニング装置１１２のトナー搬送経路１１２ａに接続される。画像形成時にクリーニング装置１１２が清掃したトナーは、不図示の搬送スクリューによって移動し、クリーニング装置１１２側のトナー搬送経路１１２ａ及び回収トナー容器１１４側のトナー搬送経路１１４ａを通過して回収トナー容器１１４に回収される。
【００２９】
また、回収トナー容器１１４には、クリーニング装置１１１Ｙ、１１１Ｍ、１１１Ｃ、１１１ＢＫから搬送されるトナーを受け取る受取口１１４ｅ、１１４ｆ、１１４ｇ、１１４ｈが形成されている。受取口１１４ｅはクリーニング装置１１１Ｙに接続され、受取口１１４ｆはクリーニング装置１１１Ｍに接続され、受取口１１４ｇはクリーニング装置１１１Ｃに接続され、受取口１１４ｈはクリーニング装置１１１ＢＫに接続される。
【００３０】
さらに、回収トナー容器１１４は、各クリーニング装置から流入したトナーを蓄積するトナー蓄積部１１４ｉと、後述する突起１１４ｂ（当接部）と、を備える。
【００３１】
図４Ａ（ａ）は、画像形成装置１００に回収トナー容器１１４が取り付けられた状態を示す図である。画像形成装置１００は、ユーザが容易に着脱できる程度に回収トナー容器１１４を保持するトナー容器保持機構１１５（トナー容器保持部）を備える。トナー容器保持機構１１５は、回収トナー容器１１４に設けられた突起１１４ｃ（位置決め用突起）に接触する接触部材４０１、接触部材４０１に取り付けられるバネ４０２を備える。
【００３２】
図４Ｂ（ｂ）から（ｄ）は、トナー容器保持機構１１５周辺の拡大図であり、回収トナー容器１１４を画像形成装置に対して着脱する際のトナー容器保持機構１１５の動作例を説明する図である。図４Ｂ（ｂ）は、回収トナー容器１１４が各クリーニング装置からトナーを受け取る位置（所定の位置）に取り付けられる前の状態を示している。図４Ｂ（ｄ）は、回収トナー容器１００が画像形成装置の所定の位置に取り付けられた状態を示している。図４Ｂ（ｃ）は、図４Ａ（ａ）と図４Ｂ（ｄ）との間の状態を示している。
【００３３】
図４Ｂ（ｂ）に示すように、接触部材４０１には、頂部４０１ａ、頂部４０１ａを境にして扉１１３側に傾斜する傾斜面４０１ｂ及び光走査装置２００が配置された側に傾斜する傾斜面４０１ｃが形成されている。バネ４０２は、頂部４０１ａを一端としたときの接触部材４０１の他端側に取り付けられる。
【００３４】
ユーザは、回収トナー容器１１４を画像形成装置に取り付けるべく、図４Ｂ（ｂ）の＋Ｘ方向に回収トナー容器１１４を移動させると、図４Ｂ（ｃ）に示すように、回収トナー容器１１４に設けられた位置決め用突起１１４ｃが傾斜面４０１ｂに接触する。ユーザがさらに＋Ｘ方向に回収トナー容器１１４を移動させると、傾斜面４０１ｂが位置決め用突起１１４ｃに押圧される。すると、バネ４０２が収縮し、位置決め用突起１１４ｃに押圧された接触部材４０１は、−Ｚ方向に移動する。ユーザがさらに回収トナー容器１１４を＋Ｘ方向に移動させると、位置決め用突起１１４ｃの下端と頂部４０１ａとが接触した状態となる。
【００３５】
位置決め用突起１１４ｃの下端と頂部４０１ａとが接触した状態からユーザがさらに回収トナー容器１１４を＋Ｘ方向に移動させると、位置決め用突起１１４ｃが傾斜面４０１ｃに接触した状態となり、接触部材４０１が図４Ｂ（ｄ）に示す＋Ｚ方向に移動する。回収トナー容器１１４が画像形成装置の所定の位置まで移動すると、図４Ｂ（ｄ）に示すように接触部材４０１に位置決め用突起１１４ｃが係合した状態となり、回収トナー容器１１４の−Ｘ方向への移動が規制され、回収トナー容器１１４が画像形成装置の所定の位置に取り付けられた状態となる。なお、回収トナー容器１１４を画像形成装置に対して位置決めするためのトナー容器保持機構１１５は、図４Ａ及びＢに示す位置の他に画像形成装置に複数設けられている。複数のトナー容器保持機構によって回収トナー容器１１４を画像形成装置の所定の位置に確実に保持する。
【００３６】
図４Ｂ（ｂ）に示すように、突起部１１４ｂは、第１の平面１１４ｂ１（第１の傾斜部）及び第２の平面１１４ｂ２（第２の傾斜部）を備える。第１の平面１１４ｂ１は、回収トナー容器１１４が着脱される際の回収トナー容器１１４ｂの移動方向（Ｘ軸方向）に平行な仮想平面（ＸＺ平面）に対して傾斜した平面である。一方、第２の平面１１４ｂ２は、第１の平面１１４ｂ１に連続し、仮想平面に対して傾斜した平面である。仮想平面に対する第２の平面１１４ｂ２の傾斜角は、仮想平面に対する第１の平面１１４ｂ１の傾斜角よりも小さい。本実施例では、仮想平面と第２の平面１１４ｂ２の角度を略０度としている。突起部１１４ｂについては後述する。なお、第１の平面１１４ｂ１及び第２の平面１１４ｂ２は、Ｖ字の頂部のような線形形状でも良い。
【００３７】
（プロセスカートリッジの着脱）
上述したように、プロセスカートリッジ１０１Ｙ、１０１Ｍ、１０１Ｃ、１０１ＢＫは、画像形成装置本体に対して着脱可能な交換ユニットである。図５（ｂ）に示すように、画像形成装置１００には、プロセスカートリッジを保持する保持レール５０１、５０２、５０３、５０４、５０５（カートリッジ保持部）が設けられている。保持レール５０１及び５０２は、プロセスカートリッジ１０１Ｙを保持する。また、保持レール５０１及び５０２は、プロセスカートリッジ１０１Ｙを着脱する際に＋Ｘ方向または−Ｘ方向へのプロセスカートリッジの移動を案内するガイドレール（ガイド部材）の機能を有する。保持レール５０２及び保持レール５０３は、プロセスカートリッジ１０１Ｍを保持し、保持レール５０３及び保持レール５０４は、プロセスカートリッジ１０１Ｃを保持し、保持レール５０４及び保持レール５０５は、プロセスカートリッジ１０１ＢＫを保持する。保持レール５０３から保持レール５０５の機能は、保持レール５０１及び保持レール５０２と同様であるので説明を省略する。
【００３８】
画像形成装置に回収トナー容器１１４が装着されているときには、回収トナー容器１１４によってプロセスカートリッジの一部が覆われている。即ち、ユーザがプロセスカートリッジを保持レール上をスライドさせてプロセスカートリッジを取り外す際の移動経路上に回収トナー容器１１４が位置する。そのため、この状態ではプロセスカートリッジを画像形成装置から取り外すことはできない。
【００３９】
そこで、ユーザは、プロセスカートリッジを交換する場合、扉１１３を開いた後、回収トナー容器１１４を画像形成装置１００から取り外す。回収トナー容器１１４を画像形成装置から取り外すと、図５（ａ）に示すようにプロセスカートリッジ１０１Ｙ、１０１Ｍ、１０１Ｃ、１０１ＢＫは−Ｘ方向にスライドさせられる状態となる。そして、ユーザは、交換するプロセスカートリッジを−Ｘ方向にスライドさせて、画像形成装置１００の本体から使用済みのプロセスカートリッジを抜き取る。その後、ユーザは、新たなプロセスカートリッジを＋Ｘ方向にスライドさせてプロセスカートリッジを画像形成装置１００の本体に取り付ける。最後に、ユーザは、回収トナー容器１１４を画像形成装置１００に取り付け、扉１１３を閉じる。以上の工程をユーザが行うことによって、プロセスカートリッジの交換が完了する。
【００４０】
（光走査装置）
次に、光走査装置２００について説明する。図６（ａ）は、光走査装置２００の構成を示す斜視図であり、図６（ｂ）は光走査装置２００の断面図である。
【００４１】
図６（ａ）に示すように、光走査装置２００の光学箱（筐体）２０１の外壁には、光源ユニット２０２Ｙ、２０２Ｍ、２０２Ｃ、２０２ＢＫが取り付けられている。光源ユニット２０２Ｙは、感光ドラム１０２Ｙを露光するレーザ光ＬＹを出射し、光源ユニット２０２Ｍは、感光ドラム１０２Ｍを露光するレーザ光ＬＭを出射する。また、光源ユニット２０２Ｃは、感光ドラム１０２Ｃを露光するレーザ光を出射し、光源ユニット２０２ＢＫは、感光ドラム１０２ＢＫを露光するレーザ光ＬＢＫを出射する。
【００４２】
光源ユニット２０２Ｙ、２０２Ｍ、２０２Ｃ、２０２ＢＫは互いに近接して配置されている。ここで、ポリゴンミラー２０３の回転軸を法線としてポリゴンミラー２０３を横切る平面を仮想平面と定義する。光源ユニット２０２Ｙから出射されるレーザ光ＬＹ及び光源ユニット２０２Ｂｋから出射されるレーザ光ＬＢＫは、仮想平面に対して重力方向上側から斜めに入射する光路をとってポリゴンミラー２０３の反射面に入射する。一方、光源ユニット２０２Ｃから出射されるレーザ光ＬＣ及び光源ユニット２０２Ｍから出射されるレーザ光ＬＭは、上記仮想平面に対して重力方向下側から斜めに入射する光路をとってポリゴンミラー２０３の反射面に入射する。
【００４３】
図６（ａ）に示すように、光学箱２０１の中央部には４つの反射面を備えるポリゴンミラー（回転多面鏡）２０３が設置されている。画像形成時、ポリゴンミラー２０３は、図６（ａ）の点線で示す回転軸をＲ１方向に回転する。
【００４４】
光源ユニット２０２Ｙから出射されたレーザ光ＬＹは、ポリゴンミラー２０３の反射面に入射する。レーザ光ＬＹは、ポリゴンミラー２０３の反射面によって図６（ａ）に示すＡ側に偏向（反射）される。光源ユニット２０２Ｍから出射されたレーザ光ＬＭは、レーザ光ＬＹが入射するポリゴンミラー２０３の反射面と同一の反射面に入射する。レーザ光ＬＭは、ポリゴンミラー２０３の反射面によってレーザ光ＬＹと同一側（Ａ側）に偏向される。
【００４５】
一方、光源ユニット２０２ＢＫから出射されたレーザ光ＬＢＫは、レーザ光ＬＹ及びＬＭが入射する反射面とは異なる反射面に入射する。レーザ光ＬＢＫは、ポリゴンミラー２０３の反射面によって、図６（ａ）に示すＢ側に偏向される。光源ユニット２０２Ｃから出射されたレーザ光ＬＣは、レーザ光ＬＢＫが入射するポリゴンミラー２０３の反射面と同一の反射面に入射する。レーザ光ＬＣは、ポリゴンミラー２０３の反射面によってレーザ光ＬＢＫと同一側（Ｂ側）に偏向される。
【００４６】
ポリゴンミラー２０３によって偏向されたレーザ光ＬＹ及びＬＭは、＋Ｘ方向に移動するレーザ光となる。即ち、回転するポリゴンミラー２０３によって偏向されることによって、レーザ光ＬＹは＋Ｘ方向に感光ドラム１０２Ｙを走査するレーザ光となり、レーザ光ＬＭは感光ドラム１０２Ｍを＋Ｘ方向に走査するレーザ光となる。
【００４７】
一方、ポリゴンミラー２０３によって偏向されたレーザ光ＬＢＫ及びＬＣは、−Ｘ方向に移動するレーザ光となる。即ち、回転するポリゴンミラー２０３によって偏向されることによって、レーザ光ＬＢＫは−Ｘ方向に感光ドラム１０２ＢＫを走査するレーザ光となり、レーザ光ＬＣは感光ドラム１０２Ｃを−Ｘ方向に走査するレーザ光となる。
【００４８】
続いて、図６（ｂ）を用いてポリゴンミラー２０３によって偏向されたレーザ光ＬＹ、ＬＭ、ＬＣ、ＬＢＫの光路について説明する。図６（ｂ）に示すように、光学箱２０１の内部には、ポリゴンミラー２０３、レンズ２０６、２０７、２０８、２０９、２１０、２１１、反射ミラー２１２、２１３、２１４、２１５、２１６、２１７等の光学部品が取り付けられる。光学箱２０１には、さらに、ポリゴンミラー２０３、上記の各レンズ、及び各反射ミラーを防塵するためのカバー２１８が取り付けられる。
【００４９】
ポリゴンミラー２０３によって偏向されたレーザ光ＬＹは、レンズ２０６及びレンズ２０７を通過した後、反射ミラー２１２に入射する。反射ミラー２１２は、入射したレーザ光ＬＹを感光ドラム１０２Ｙに向かって反射する。カバー２１８には、反射ミラー２１２が反射したレーザ光ＬＹを通過させる開口２１９が形成されている。開口２１９は、レーザ光ＬＹを通過させる透明の防塵窓２２０によって閉塞されている。防塵窓２２０を通過したレーザ光ＬＹは、感光ドラム１０２Ｙ上に結像する。
【００５０】
ポリゴンミラー２０３によって偏向されたレーザ光ＬＭは、レンズ２０６を通過した後、反射ミラー２１３に入射する。反射ミラー２１３は、入射したレーザ光ＬＭを反射ミラー２１４に向かってレンズ２０８に向かって反射する。反射ミラー２１３によって反射されてレーザ光ＬＭは、レンズ２０８を通過して反射ミラー２１４に入射する。反射ミラー２１４は、入射したレーザ光ＬＭを感光ドラム１０２Ｍに向かって反射する。カバー２１８には、反射ミラー２１４が反射したレーザ光ＬＭを通過させる開口２２０が形成されている。その開口２１９は、レーザ光ＬＭを通過させる透明の防塵窓２２４によって閉塞されている。防塵窓２２４を通過したレーザ光ＬＭは、感光ドラム１０２Ｍに結像する。
【００５１】
ポリゴンミラー２０３によって偏向されたレーザ光ＬＢＫは、レンズ２０９及びレンズ２１０を通過した後、反射ミラー２１５に入射する。反射ミラー２１５は、入射したレーザ光ＬＢＫを感光ドラム１０２ＢＫに向かって反射する。カバー２１８には、反射ミラー２１５が反射したレーザ光ＬＢＫを通過させる開口２２２が形成されている。開口２２２は、レーザ光ＬＢＫを通過させる透明の防塵窓２２６によって閉塞されている。防塵窓２２２を通過したレーザ光ＬＢＫは、感光ドラム１０２ＢＫ上に結像する。
【００５２】
ポリゴンミラー２０３によって偏向されたレーザ光ＬＣは、レンズ２０９を通過した後、反射ミラー２１６に入射する。反射ミラー２１６は、入射したレーザ光ＬＣをレンズ２１１に向かって反射する。反射ミラー２１１によって反射されたレーザ光ＬＣは、レンズ２１１を通過して反射ミラー２１７に入射する。反射ミラー２１７は、入射したレーザ光ＬＣを感光ドラム１０２Ｃに向かって反射する。カバー２１８には、反射ミラー２１８が反射したレーザ光ＬＣを通過させる開口２２１が形成されている。開口２２１は、レーザ光ＬＣを通過させる透明の防塵窓２２５によって閉塞されている。防塵窓２２５を通過したレーザ光ＬＣは、感光ドラム１０２Ｃ上に結像する。
【００５３】
（カバー）
カバー２１８について説明する。図７（ａ）に示すように、光学箱２０１にカバー２１８が取り付けられる。カバー２１８には複数のフック部２１８ａが設けられており、カバー２１８は光学箱の外壁に設けられた複数の突起２２０ａに複数のフック部２１８ａそれぞれを係合させるスナップフィット構造によって光学箱２０１に取り付けられる。なお、図７（ａ）に示すように、カバー２１８には、光学箱２０１の内側に向かって窪んだ凹部２１８ｂと、光学箱２０１の外側に向かって突出する凸部２１８ｃ、２１８ｄが設けられている。
【００５４】
（シャッタ）
続いて、シャッタ３００について説明する。シャッタ３００は、防塵窓２２３、２２４、２２５、２２６にトナーなどの異物が付着しないようにするための部材である。画像形成装置のメンテナンスをするために、ユーザが扉１１３を開いてプロセスカートリッジを着脱するとき、プロセスカートリッジの移動によってカートリッジからトナーが落下する場合がある。そのため、少なくともプロセスカートリッジを交換する場合は、シャッタ３００が防塵窓２２３、２２４、２２５、２２６を覆った状態にすることが望ましい。
【００５５】
図７（ｂ）は、カバー２１８を覆うように光走査装置に取り付けられたシャッタ３００を示す斜視図である。シャッタ３００は、カバー２１８に対向する一枚の板状の樹脂部材であり、カバー２１８の防塵窓２２３、２２４、２２５、２２６を覆う共通の部材である。シャッタ３００には、防塵窓２２３を通過したレーザ光ＬＹを通過させる開口３２３、防塵窓２２４を通過したレーザ光ＬＭを通過させる開口３２４、防塵窓２２５を通過したレーザ光ＬＣを通過させる開口３２５、防塵窓２２６を通過したレーザ光ＬＢＫを通過させる開口３２６（光ビーム通過部）が形成されている。また、シャッタ３００には、後述する弾性体であるバネ３１０を取り付けるための長穴３０１が形成されている。さらに、シャッタ３００には、長穴３０２、３０３が形成されている。カバー２１８の凸部２１８ｃは長穴３０２に挿入されている。一方、シャッタ３００の凸部２１８ｄは、長穴３０３に挿入されている。長穴３０２、３０３、凸部２１８ｃ、２１８ｄは、カバー２１８の移動方向をＹ軸方向に制限するガイド部材として機能する。なお、シャッタ３００は、画像形成装置側に取り付けられても良い。
【００５６】
（シャッタ移動機構）
本実施例のシャッタ３００は、カバー２１８の防塵窓２２３、２２４、２２５、２２６にトナーなどの塵埃が付着することを抑制するために設けられている。シャッタ３００は、以下で説明するシャッタを移動させる機構が動作することによって移動する。
【００５７】
図８（ａ）は、画像形成装置１００本体に設けられたシャッタ移動機構、シャッタ、及び光走査装置の上面図である。図８（ｂ）は、シャッタ移動機構の一部を構成する回動機構４００の上面図である。
【００５８】
図８（ｂ）に示すように、回転機構８０３は、軸８０４、回転部８０５、第１の腕部８０６、第２の腕部８０７によって構成される。軸８０４は、画像形成装置１００の本体に設けられた、断面が円形の固定軸である。回転部８０５、第１の腕部８０６、第２の腕部８０７は１つの回転部材を構成し、回転部８０５に設けられた開口８０８に、軸８０４が貫通している。回転部８０５からは、軸８０４のラジアル方向に第１の腕部８０６及び第２の腕部８０７が延出する。
【００５９】
図８（ａ）に示すように、回転部８０５、第１の腕部８０６、第２の腕部８０７によって構成される回転部材は、軸８０４の円形断面の中心（回転軸８０４ａ）に時計回り方向（第１の方向）及び反時計回り方向（第１の方向の反対方向である第２の方向）に回転することができる。
【００６０】
続いて、図９を用いてシャッタ移動機構の一部を構成するバネ３１０について説明する。図９（ａ）は、図８（ａ）のＡ−Ａ間の断面図である。図９（ｂ）は、カバー２１８に設けられた凹部２１８ｂの拡大斜視図である。図９（ｃ）は、シャッタ３００の開口３０１の拡大斜視図を示している。図９（ｄ）は、バネ３１０の取付部分における拡大断面図である。
【００６１】
図９（ｂ）に示すようにカバー２１８の凹部２１８ｂには、コイルバネなどのバネ３１０の一端が係合する係合部２１８ｅが設けられている。一方、図９（ｃ）に示すように、シャッタ３００には、バネ３１０の他端側が係合する係合部３０４が設けられている。つまり、カバー２１８とシャッタ３００は、バネ３１０によって連結されている。なお、本実施例ではカバー２１８とシャッタ３００とを連結するバネ３１０を例に説明するが、実施の形態は光学箱２０１とシャッタ部材３００とを連結する構成でも良い。
【００６２】
図９（ａ）に示すように、ポリゴンミラー２０３の回転軸方向（Ｚ軸方向）において、カバー２１８の凹部２１８ｂの底面２１８ｆは、各防塵窓２２３、２２４、２２５、２２６よりも光学箱２０１の底面側に設けられている。図８（ａ）に示すように、カバー２１８の凹部２１８ｂは、凹部２１８ｂ自体が光走査装置内部においてレーザ光の光路を妨げない位置に設けられている。図８（ａ）に示す四角形は回転多面鏡の配置位置を示しており、線分８０１及び８０２は、ポリゴンミラー２０３によって偏向されたレーザ光の走査領域端部を示している。凹部２１８ｂは、光源２０２Ｙ、２０２Ｍ、２０２Ｃ、２０２ＢＫから出射してポリゴンミラー２０３に入射するレーザ光の光路の延長線上に設けられている。光源２０２Ｙ、２０２Ｍ、２０２Ｃ、２０２ＢＫから出射してポリゴンミラー２０３に入射するレーザ光の光路の延長線上に配置することによって、光走査装置内部においてレーザ光の光路を妨げることなく、ポリゴンミラー２０３の回転軸方向において各防塵窓の配置位置よりも光走査装置の内部に突出させた凹部２１８ｂを設けることができる。つまり、ポリゴンミラー２０３の回転軸方向から見たときに、凹部２１８ｂは、ポリゴンミラー２０３を挟んで光源２０２Ｙ、２０２Ｍ、２０２Ｃ、２０２ＢＫとは逆側に設けられている。結果として、ポリゴンミラー２０３の回転軸方向における光走査装置２００の大型化を避けることができる。
【００６３】
（シャッタ移動機構の動作）
次に、図１０及び図１１を用いてシャッタ移動機構（シャッタ開閉機構）の動作について説明する。
【００６４】
図１０（ａ）は、回収トナー容器１１４がトナー容器保持機構１１５に装着される前の状態の上面図である。図１０（ａ）において、シャッタ３００は、カバー２１８に設けられた開口２２３、２２４、２２５、及び２２６を覆っており、仮にレーザ光ＬＹ、ＬＭ、ＬＣ、ＬＢＫを出射されたとしても、それらのレーザ光はシャッタに遮られる。本実施例では、図１０（ａ）の状態をシャッタ３００がレーザ光を遮光するシャッタ閉状態、あるいはシャッタ３００がレーザ光の光路上に位置する第２の位置に位置する状態とする。
【００６５】
図１０（ｂ）は、回収トナー容器１１４がトナー容器保持機構１１５に保持された状態の上面図である。図１０（ｂ）において、シャッタ３００は、レーザ光の光路上から退避した第１の位置に位置する。そのため、レーザ光ＬＹ、ＬＭ、ＬＣ、ＬＢＫは、シャッタ部材３００の開口２２３、２２４、２２５、及び２２６を通過することができる。本実施例では、図１０（ａ）の状態をシャッタ３００がレーザ光を遮光しないシャッタ開状態とする。
【００６６】
図１０（ａ）の状態では、第１の腕部８０６（第１の接触部）の先端部８０６ａと回収トナー容器１１４の突起部１１４ｂとが接しており、第２の腕部８０７（第２の接触部）の先端部８０７ａとシャッタ３００の端部とが接している（図１０（ａ）の左図）。なお、図１０（ａ）の右図は、図１０（ａ）の左図の状態におけるバネ３１０の状態を示している。
【００６７】
図１１（ａ）は、図１０（ａ）の状態における回転機構８０３の拡大図である。図１１（ａ）に示す第１の腕部８０６及び第２の腕部８０７の位置を初期位置とする。以降の図１１（ｂ）から（ｄ）では、第１の腕部８０６及び第２の腕部８０７の初期位置を点線で示す。
【００６８】
ユーザが図１０（ａ）の状態から回収トナー容器１１４を＋Ｘ方向に移動させると、突起部１１４ｂの第１の平面１１４ｂ１上を第１の腕部８０６の先端部８０６ａが矢印Ｃ方向に移動する。第１の腕部８０６の先端部８０６ａが矢印Ｃ方向に移動することによって第１の腕部８０６が回転軸８０４ａを中心として時計回り方向に旋回（移動）し、同時に第２の腕部８０７も時計回り方向に旋回（移動）する（図１１（ｂ））。
【００６９】
第１の腕部８０６が旋回することによって旋回した第２の腕部８０７の先端部８０７ａによって押圧されたシャッタ３００は、−Ｙ方向（透明窓の短手方向）にスライドする。図１１（ａ）の状態からシャッタ３００が−Ｙ方向にスライドすると、バネ３１０が伸張するため、バネ３１０の弾性力が増加することによってシャッタ３００には＋Ｙ方向への力が作用する。そのため、シャッタ３００と第２の腕部８０７の先端部８０７ａとが接触した状態が維持される。
【００７０】
ユーザが図１１（ｂ）の状態からさらに回収トナー容器１１４を＋Ｘ方向に移動させると、回収トナー容器１１４の＋Ｘ方向への移動によって第１の腕部８０６及び第２の腕部８０７が時計回り方向に旋回する。そして、第２の腕部８０７によって押圧されたシャッタ３００は、さらに−Ｙ方向に移動する（図１１（ｃ））。
【００７１】
図１１（ｃ）の状態において、回収トナー容器１１４は画像形成装置１００のトナー容器保持機構１１５に完全に保持されておらず、＋Ｘ方向にさらに移動することができる。ユーザが図１１（ｃ）の状態からさらに回収トナー容器１１４を＋Ｘ方向に移動させると、第１の腕部８０６の先端部８０６ａが突起部１１４ｂの第２の平面１１４ｂ２に当接する。第２の平面１１４ｂ２は、Ｘ軸と平行な平面である。そのため、第１の腕部８０６の先端部８０６ａが第２の平面１１４ｂ上を移動しても第１の腕部８０６及び第２の腕部８０７は時計回り／反時計回りのいずれの方向にも旋回しない。
【００７２】
第１の腕部８０６と突起部１１４ｂの第２の平面１１４ｂ２との接触点が図１１（ｄ）に示す位置のとき、図４Ｂ（ｄ）に示すように回収トナー容器１１４はトナー容器保持機構１１５に保持された状態となる。第２の平面１１４ｂをＸ軸と平行な平面とすることによって、第１の腕部８０６の先端部８０６ａと第２の平面１１４ｂ２とが接触した状態において第１の腕部８０６の先端部８０６ａから突起部１１４ｂに対して−Ｘ方向への力が作用しない。このように第２の平面１１４ｂ２を設けることによって、振動等により図４Ｂ（ｄ）の状態においてトナー容器保持機構１１５から回収トナー容器１１４が−Ｘ方向に離脱することを抑制することができる。
【００７３】
なお、必ずしも第２の平面１１４ｂ２がＸ軸に平行でなければならないわけではなく、Ｘ軸に対する第１の平面１１４ｂ１の傾斜角度よりも第２の平面１１４ｂ２の傾斜角度を小さくすることが望ましい。
【００７４】
（変形例）
以下ではシャッタ移動機構の変形例について説明する。上記実施例では、複数の透明窓を１枚のシャッタで覆う構成を例示したのに対して、本変形例では、図１２に示すように、複数透明窓それぞれに対応する複数のシャッタを設けた画像形成装置の一例である。
【００７５】
図１２（ａ）に示すように、光走査装置１２００は、レーザ光ＬＹを光走査装置外部に通過させる透明窓１２０１、レーザ光ＬＭを光走査装置外部に通過させる透明窓１２０２、レーザ光ＬＣを光走査装置外部に通過させる透明窓１２０３、レーザ光ＬＢＫを光走査装置外部に通過させる透明窓１２０４を備える。画像形成装置は、透明窓１２０１を覆うシャッタ１２０５、透明窓１２０２を覆うシャッタ１２０６、透明窓１２０３を覆うシャッタ１２０７、透明窓１２０４を覆うシャッタ１２０８を備える。シャッタ１２０５は、透明窓１２０１の長手方向に沿う回転軸１２０９を回動中心として矢印Ｒ２方向に回動する。同様に、シャッタ１２０６は、透明窓１２０２の長手方向に沿う回転軸１２１０を回動中心として矢印Ｒ２方向に回動し、シャッタ１２０７は、透明窓１２０３の長手方向に沿う回転軸１２１１を回動中心として矢印Ｒ２方向に回動し、シャッタ１２０８は、透明窓１２０４の長手方向に沿う回転軸１２１２を回動中心として矢印Ｒ２方向に回動する。
【００７６】
シャッタ１２０５、１２０６、１２０７、１２０８は、以下の構成によって回動する。図１２（ｂ）は、図１２（ａ）の斜視図、図１２（ｃ）は、図１２（ａ）の上面図である。図１２（ｂ）は、シャッタ１２０５、１２０６、１２０７、１２０８が各レーザ光の光路上から退避した状態（シャッタ開状態）を示している。
【００７７】
図１２（ｃ）に示すように、本変形例の画像形成装置は、Ｘ軸方向に延び、＋Ｘ方向及び−Ｘ方向に可動な第１の可動部材１２１２、歯車１２１３、及びＹ軸方向に延び、＋Ｙ方向及び−Ｙ方向に可動な第２の可動部材１２１４を備える。ユーザは回収トナー容器１１４を画像形成装置に装着するために、回収トナー容器１１４を＋Ｘ方向に移動させる。
【００７８】
回収トナー容器１１４が装着される際に、回収トナー容器１１４の突起部１１４ｂは、第１の可動部材１２１２の接触点１２１２ａに接触する。突起部１１４ｂに押圧されることによって、第１の可動部材１２１２は＋Ｘ方向に移動する。第１の可動部材１２１２の一端には歯面部１２１２ｂが形成されており、歯面部１２１２ｂは歯車１２１３と噛み合っている。第１の可動部材１２１２が＋Ｘ方向に移動することによって歯車１２１３は、時計回り方向に回転し、第１の可動部材１２１２が−Ｘ方向に移動することによって歯車１２１３は、反時計回り方向に回転する。
【００７９】
第２の可動部材１２１４の一端には歯面部１２１４ａが形成されており、歯面部１２１４ａは歯車１２１３に噛み合っている。そのため、第２の可動部材１２１４は、歯車１２１３が時計回り方向に回転することによって−Ｙ方向に移動し、歯車１２１３が反時計回り方向に回転することによって＋Ｙ方向に移動する。第２の可動部材１２１４が−Ｙ方向に移動することによって各シャッタ１２０５、１２０６、１２０７、１２０８それぞれは回転軸１２０９、１２１０、１２１１、１２１２を中心に回動し、レーザ光路上から退避する。即ち、各シャッタは第１の位置に移動する。一方、第２の可動部材１２１４が＋Ｙ方向に移動することによって各シャッタ１２０５、１２０６、１２０７、１２０８それぞれは回転軸１２０９、１２１０、１２１１、１２１２を中心に回動し、各シャッタ１２０５、１２０６、１２０７、１２０８はそれぞれ対応する各透明窓を覆う。即ち、各シャッタは第２の位置に移動する。
【００８０】
このように変形例の画像形成装置は、回収トナー容器１１４の着脱に応じて複数のシャッタを移動させる構成を備えており、実施の形態は本変形例のような構成でも良い。
【００８１】
以上、説明したように、本実施例及び変形例の画像形成装置は、回収トナー容器の着脱によってシャッタを移動させる構成であるため、扉の開閉によるシャッタの不要な移動（開閉）を抑制することができる。
【図１】
2014126828.tif 000003
【図２】
2014126828.tif 000004
【図３】
2014126828.tif 000005
【図４】
2014126828.tif 000006
【図５】
2014126828.tif 000007
【図６】
2014126828.tif 000008
【図７】
2014126828.tif 000009
【図８】
2014126828.tif 000010
【図９】
2014126828.tif 000011
【図１０】
2014126828.tif 000012
【図１１】
2014126828.tif 000013
【図１２】
2014126828.tif 000014